(57)【要約】【課題】簡単な構成で使い勝手の良いミシン目加工機能付き画像記録装置を提供。【解決手段】記録媒体を積載する記録媒体保持手段と、前記記録媒体保持手段から記録媒体を供給する記録媒体供給手段と、前記記録媒体供給手段から供給された記録媒体に画像を記録する画像記録手段と、前記画像記録手段で画像記録の行われた記録媒体を排出する記録媒体排出手段とを有する画像記録装置において、前記記録媒体排出手段は記録媒体排出ローラと前記記録媒体排出ローラに対向する位置に設けられた拍車ローラを有し、前記拍車ローラの軸位置を前記記録媒体排出ローラ軸位置に対して移動可能なように構成。【選択図】　　　　図１
2004130530.tif 000002
【特許請求の範囲】
【請求項１】
記録媒体を積載する記録媒体保持手段と、
前記記録媒体保持手段から記録媒体を供給する記録媒体供給手段と、
前記記録媒体供給手段から供給された記録媒体に画像を記録する画像記録手段と、
前記画像記録手段で画像記録の行われた記録媒体を排出する記録媒体排出手段とを有する画像記録装置において、
前記記録媒体排出手段は記録媒体排出ローラと前記記録媒体排出ローラに対向する位置に設けられた拍車ローラを有し、
前記拍車ローラの軸位置を前記記録媒体排出ローラ軸位置に対して移動可能なように構成したことを特徴とした画像記録装置。
【請求項２】
前記記録媒体排出ローラは
前記拍車ローラに対向する位置で溝構成にしたことを特徴とする請求項１に記載の画像記録装置。
【請求項３】
前記画像記録装置の画像形成方式は、
シリアルインクジェット方式としたことを特徴とする請求項１または２に記載の画像記録装置。
【発明の詳細な説明】
【０００１】
【発明の属する技術分野】
本発明は被記録媒体を用いて画像形成を行う画像記録装置に関する。
【０００２】
【従来の技術】
従来、画像記録装置の記録媒体排出手段において、記録媒体排出ローラと拍車ローラは相対的な位置の変更は行えない構成となっている。
【０００３】
【発明が解決しようとする課題】
本発明では、拍車ローラの軸位置を記録媒体排出ローラ軸位置に対して移動可能なように構成したことによって、排出される記録媒体にミシン目状の切れ込みを入れることを可能としている。
【０００４】
これによって、インターネット等でクーポン券などの画像をダウンロードし、その画像の印字を行い、１枚の記録媒体から複数のクーポン等を切り離し易くできる。
【０００５】
本出願に係る第一の発明の目的は、簡単な構成で低コスト、高品質なミシン目加工機能付き画像記録装置を提供することにある。
【０００６】
本出願に係る第二、第三の発明の目的も同じく、簡単な構成で低コスト、高品質なミシン目加工機能付き画像記録装置を提供することにある。
【０００７】
【課題を解決するための手段】
上記目的を達成するために、請求項１に係る発明は、記録媒体を積載する記録媒体保持手段と、前記記録媒体保持手段から記録媒体を供給する記録媒体供給手段と、前記記録媒体供給手段から供給された記録媒体に画像を記録する画像記録手段と、前記画像記録手段で画像記録の行われた記録媒体を排出する記録媒体排出手段とを有する画像記録装置において、前記記録媒体排出手段は記録媒体排出ローラと前記記録媒体排出ローラに対向する位置に設けられた拍車ローラを有し、前記拍車ローラの軸位置を前記記録媒体排出ローラ軸位置に対して移動可能なように構成したことを特徴とする。
【０００８】
請求項２に係る発明は、請求項１に記載の画像記録装置において、前記記録媒体排出ローラは前記拍車ローラに対向する位置で溝構成にしたことを特徴とする。
【０００９】
請求項３に係る発明は、請求項１または２記載の画像記録装置において、前記画像記録装置の画像形成方式はシリアルインクジェット方式としたことを特徴とする。
【００１０】
上記構成において、安価で簡単な高品質のミシン目加工機能付き画像記録装置を提供する。
【００１１】
【発明の実施の形態】
図１と図２に画像記録装置の概略を示す。
【００１２】
図において、１０１は記録媒体を搭載する記録媒体保持手段、１０２は記録媒体を供給する記録媒体供給手段、１０３は記録媒体に画像を記録する画像記録手段、１０４は記録媒体を任意に搬送し画像記録を行い、また画像記録装置から記録媒体を排出する記録媒体排出手段である。１１０は画像記録装置の外装部である。
【００１３】
図３は記録媒体排出手段の概略を示す。
【００１４】
図において、１は記録媒体を排出する排紙ローラ、２は排紙ローラ１と共に自在に回動する拍車、３は拍車を保持する拍車ベースである。排紙ローラ１は軸方向で拍車の対向する位置に溝１ａが形成されている。
【００１５】
図４は記録媒体排出手段の一部を示す。
【００１６】
図において、拍車２はバネ軸２ａを持ち、バネ軸２ａを中心に回動自在である。４は拍車２をＣ方向に移動させる押し部材、また、図３における５はプリンタの外側から掴むことができるスイッチで、スイッチ５を操作することで押し部材４をＣ方向または逆方向に動かすことができる。
【００１７】
以上において、動作を説明する。
【００１８】
図５は記録媒体排出手段の概略を示す。
【００１９】
１０は記録媒体である。画像記録後に記録媒体１０は排紙ローラ１や拍車２によってＡ方向に搬送される。通常の画像記録を行うときは、押し部材４はスイッチ５によって排紙ローラの溝１ａに拍車２が入り込まない図４のような位置に止められている。
【００２０】
図６、図７はスイッチ５をＣ方向に動かすことによって押し部材４がＣ方向に下げられ、結果として拍車２が溝１ａに入り込んでいる状態を表す。このとき拍車２の側面に設けられた円筒部２ｂを押し部材４の先端が押している。また、拍車のバネ軸２ａは図７上図のように湾曲しながらも拍車２は回動自在となっている。
【００２１】
以上の状態で、画像記録を行うと記録媒体は図８に示すように点線状の切れ込み１０ａが形成される。
【００２２】
以上によって、任意にスイッチ５を操作し、画像記録を終えた記録媒体に、通常の排紙を行う、または、点線状の切れ込みを形成することが可能となる。
【００２３】
以上の例は一例として掲げたものであり、本発明を限定するものでない。すなわち発明は前述した好ましい実施例に限られるものではなく、例えば、拍車ベースごと拍車を排紙ローラに近づける構成としたり、拍車の軸方向の並びを任意に変更できる構成にし点線状の切れ込みを任意位置に形成にしたりするなど、本発明の要旨を逸脱しない範囲で、種々の態様にて実施可能なことはもちろんである。
【００２４】
【発明の効果】
以上のように請求項１に記載の発明では、記録媒体を積載する記録媒体保持手段と、前記記録媒体保持手段から記録媒体を供給する記録媒体供給手段と、前記記録媒体供給手段から供給された記録媒体に画像を記録する画像記録手段と、前記画像記録手段で画像記録の行われた記録媒体を排出する記録媒体排出手段とを有する画像記録装置において、前記記録媒体排出手段は記録媒体排出ローラと前記記録媒体排出ローラに対向する位置に設けられた拍車ローラを有し、前記拍車ローラの軸位置を前記記録媒体排出ローラ軸位置に対して移動可能なように構成したことにより、簡単な構成で小型化された高品質なミシン目加工機能付き画像記録装置を低コストで提供することが可能となった。
【００２５】
請求項２に記載の発明では、請求項１の画像記録装置で、前記記録媒体排出ローラは前記拍車ローラに対向する位置で溝構成にしたことにより、簡単な構成で小型化された高品質なミシン目加工機能付きミシン目加工機能付き画像記録装置を低コストで提供することが可能となった。
【００２６】
請求項３に記載の発明では、請求項１または２の画像記録装置で、前記画像記録装置の画像形成方式は、シリアルインクジェット方式としたことにより、簡単な構成で小型化された高品質なミシン目加工機能付き画像記録装置を低コストで提供することが可能となった。
【図面の簡単な説明】
【図１】画像記録装置概略図。
【図２】画像記録装置概略図。
【図３】記録媒体排出手段概略図。
【図４】記録媒体排出手段概略図。
【図５】記録媒体排出手段と記録媒体の概略図。
【図６】記録媒体排出手段概略図。
【図７】記録媒体排出手段概略図。
【図８】記録媒体排出手段と記録媒体の概略図。
【符号の説明】
１　排紙ローラ
１ａ　溝
２　拍車
２ａ　バネ軸
２ｂ　拍車円筒部
３　拍車ベース
４　押し部材
５　スイッチ
１０　記録媒体
１０１　記録媒体保持手段
１０２　記録媒体供給手段
１０３　画像記録手段
１０４　記録媒体排出手段
１１０　画像記録装置外装部
【図１】
2004130530.tif 000003
【図２】
2004130530.tif 000004
【図３】
2004130530.tif 000005
【図４】
2004130530.tif 000006
【図５】
2004130530.tif 000007
【図６】
2004130530.tif 000008
【図７】
2004130530.tif 000009
【図８】
2004130530.tif 000010